(57)【要約】【課題】上昇専用と昇降兼用を併設して昇降可能で、特に、上昇時において、人体への負担を抑制するとともに、併設構造における人体への危険を抑制した階段を提供する。【解決手段】階段１は、上昇部４０と昇降部５０とが横方向に併設され、上昇部４０は、第一蹴上面４２，４４と第一踏面４１，４３とが連続してなり、起立した第一蹴上面４２に対して第一踏面４３は垂直上方に傾斜角αで傾斜している一方、昇降部５０は、第二蹴上面５２，５４と第二踏面５１，５３とが連続してなり、起立した第二蹴上面５２に対して第二踏面５３は略垂直をなしている。第一踏面４３は第二蹴上面５２及び第二踏面５３に跨って配設され、領域Ｃの部分において、上昇部４０から昇降部５０に亘る段差が生じている。この段差領域Ｃは、第一踏面４３における足を横方向（昇降部５０方向）に規制するストッパーとしての役割を有し、直進歩行を確実なものとする。【選択図】図１
2014159739.tif 000002
【特許請求の範囲】
【請求項１】
起立した第一蹴上面に対して垂直上方に傾斜した第一踏面をもつ上昇部と、
起立した第二蹴上面に対して略垂直な第二踏面をもつ昇降部と、
を有する階段であって、
前記上昇部と前記昇降部とは併設されており、
前記第一踏面は、前記第二蹴上面及び前記第二踏面に跨って配設された階段。
【発明の詳細な説明】
【技術分野】
【０００１】
本発明は、上昇時における人体への負担及び危険を抑制した階段に関する。
【背景技術】
【０００２】
階段は、高低差のある場所への移動を行うための構造物であり、従来より、人間の足で昇降可能な高さ（蹴上面）をもつ、いくつもの水平な段（踏面）に分割されている。
【０００３】
例えば、図６に示すように、階段６は、平坦な踏面６１，６３と起立した蹴上面６２とが交互に連続する直進昇降部と、右⇔左へと交互に傾斜する千鳥昇降部と、が併設されており、踏面６１，６３と蹴上面６２とは略垂直に配設されている（特許第２９９４６１４号公報）。また、直進昇降部に関してのみ言えば、蹴上面に対して踏面の手前側を垂直上方に傾斜したものや（実用新案登録第３１６６２３２号公報）、蹴上面に対して踏面の奥側を垂直上方に傾斜したものが存在する（特開平７−２８６４２０号公報）。
【先行技術文献】
【特許文献】
【０００４】
【特許文献１】実用新案登録第３１６６２３２号公報
【特許文献２】特開平７−２８６４２０号公報
【発明の概要】
【発明が解決しようとする課題】
【０００５】
ところで、近年、地震災害の発生時における津波等の被害から免れるために、高所避難が叫ばれており、高所・高台に辿り着くまでの上昇時には、人体への負担を抑制するとともに、安全に上昇できるように人体への危険も抑制しなければならない。
【０００６】
この点、特許第２９９４６１４号公報に記載された技術（図６参照）は、踏面６１から踏面６３へと上昇する際に、蹴上面６２の横方向に連なる大きな段差６０が存在することから、この段差６０に足先を引っ掛けてしまって転倒する危険がある。
【０００７】
また、高所・高台から低所に戻る下降時は、実用新案登録第３１６６２３２号公報及び特開平７−２８６４２０号公報に記載された技術では不適応であるし、下降し易い階段、換言すれば、従来より用いられている傾斜のない略垂直な階段も必要となる。
【０００８】
そこで、本発明は、上昇専用と昇降兼用を併設して昇降可能で、特に、上昇時において、人体への負担を抑制するとともに、併設構造における人体への危険を抑制した階段を提供する。
【課題を解決するための手段】
【０００９】
上記課題を解決するために、本発明に係る階段は、起立した第一蹴上面に対して垂直上方に傾斜した第一踏面をもつ上昇部と、起立した第二蹴上面に対して略垂直な第二踏面をもつ昇降部と、を有する階段であって、前記上昇部と前記昇降部とは併設されており、前記第一踏面は、前記第二蹴上面及び前記第二踏面に跨って配設されている。
【００１０】
本発明によれば、上昇部が上昇専用、昇降部が上り下りの昇降兼用であって、上昇部と昇降部とは併設されていることから、上昇時には、上昇部及び昇降部を利用することができ、下降時には昇降部を利用することができる。そのため、高所・高台に避難する必要がある緊急時において、上昇部及び昇降部の両方を利用することができ、迅速な避難に資する。
【００１１】
また、上昇部は起立した第一蹴上面に対して垂直上方に傾斜した第一踏面をもつことから、上昇時における足首と脛の角度が小さくてすむ。また、第一踏面を踏み上がるときの力は第二踏面を踏み上がるときの力に比べて少なくてすみ、楽に階段を上昇することができるので、上昇時における人体への負担を抑制することに資する。
【００１２】
また、第一踏面は、第二蹴上面及び第二踏面に跨って配設されていることから、上昇部と昇降部とに横方向に連なる経路が発生することはなく、また、上昇時において、第一踏面に位置する足が第二蹴上面及び第二踏面によって連なる段差で横方向に規制されることから、上昇部を直進中の足が昇降部に到達することがない。よって、足先を引っ掛けてしまって転倒する危険を抑制することに資する。
【００１３】
また、本発明によれば、例えば駅のホームに連なる階段において、人の流れを作る必要がある場所に設置することで、従来のように「上り」「下り」等の標識を設けたり、「上り」「下り」を線等で区切って表示したりしなくても、上昇部が上昇専用であることが視覚的に把握できる（逆に、上昇部は下降しにくいことが視覚的に把握できる）という特性により、自然とその流れを作ることが期待できるという効果がある。
【００１４】
さらに、本発明によれば、立ち位置で止まる場合と先を急ぐ人の追い抜き動作ができる場合とを併設したエスカレータ等に設置することで、上昇部が追い抜き専用であることが視覚的に把握できるという特性により、従来のものよりもスムーズな走行が期待できるという効果がある。
【発明の効果】
【００１５】
本発明の階段は、上昇時における人体への負担及び危険を抑制でき、また、視覚的に「上り」「下り」の区分を容易にすることができるという効果がある。
【図面の簡単な説明】
【００１６】
【図１】本発明の実施の形態に係る階段を示す図。
【図２】本発明の実施の形態に係る階段の上昇部を示す図。
【図３】本発明の実施の形態に係る階段の上昇部を示す図。
【図４】本発明の実施の形態に係る階段の上昇部を示す図。
【図５】本発明の実施の形態に係る階段の上昇部を示す図。
【図６】従来の階段の例を示す図。
【発明を実施するための最良の形態】
【００１７】
以下、本発明の実施の形態について図面に基づいて説明する。
【００１８】
図１は、本発明の実施の形態に係る階段１を示す図であり、階段１は、上昇部４０と昇降部５０とを有し、これらは横方向に併設されている。
【００１９】
上昇部４０は、第一蹴上面４２，４４と第一踏面４１，４３とが連続してなり、起立した第一蹴上面４２に対して第一踏面４３は垂直上方に傾斜角αで傾斜している。また、昇降部５０は、第二蹴上面５２，５４と第二踏面５１，５３とが連続してなり、起立した第二蹴上面５２に対して第二踏面５３は略垂直をなしている。
【００２０】
第一蹴上面４２，４４の高さＨ１は、第二蹴上面５２，５の高さＨ２よりも低く、第一踏面４３は第二蹴上面５２及び第二踏面５３に跨って配設されることから、領域Ｃの部分において、上昇部４０と昇降部５０とに亘る段差が生じている。この段差領域Ｃは、第一踏面４３における足を横方向（昇降部５０方向）に規制するストッパーとしての役割を有し、直進歩行を確実なものとする。また、傾斜角αをつけ、Ｈ２>Ｈ１とすることにより、直進上昇時において上昇部４０を利用した方が少ない段差で足を第一踏面４１，４３に掛けることができる。
【００２１】
図２及び図３は、本発明の実施の形態に係る階段の上昇部２，２'を示す図である。図２に示す上昇部２は、地面５に対して略垂直な第一蹴上面１０と地面５に対して略平行な終着面１２との間に第一蹴上面１０及び第一踏面１１が交互に連続している。また、図３に示す上昇部２'は、地面５に対して略垂直な第一蹴上面１０と地面５に対して略平行な終着面１２との間に第一蹴上面１０'及び第一踏面１１が交互に連続している。
【００２２】
図２に示す上昇部２は、第一蹴上面１０と第一踏面１１とが傾斜角α（０°<α<９０°）で垂直上方に傾斜して、第一蹴上面１０は地面５に対して略垂直に起立する一方、図３に示す上昇部２'は、第一蹴上面１０'と第一踏面１１とが傾斜角α（０°<α<９０°）で垂直上方に傾斜して、第一蹴上面１０'は地面５に対して傾斜角β（０°<β<９０°）で起立している。よって、傾斜角αと傾斜角βを交互に組み合わせた上昇部２'の方が、上昇部２よりも早くかつ負担が少なく終着面１２に到着することができる。
【００２３】
また、図３に示す上昇部２'では、第一蹴上面１０'の長さＬ１と第一踏面１１の長さＬ２を調整することにより、様々な利点がある。例えば、Ｌ１<Ｌ２とすることで、第一蹴上面１０'に足を掛けるよりも第一踏面１１に足を掛けて直進上昇することが期待でき、Ｌ１≒Ｌ２とすることで、第一蹴上面１０'と第一踏面１１の両方を使って足を掛けて直進上昇することが期待できる。また、上昇部２のように略垂直な段差があるよりも、上昇部２'のように傾斜角αと傾斜角βを交互に組み合わせた方が、車椅子の昇降も容易になることが期待できる。
【００２４】
図４及び図５は、本発明の実施の形態に係る階段の上昇部３，４を示す図であり、既存の略直角な階段に上昇部及び昇降部を併設する例を示している。
【００２５】
既存の略直角な階段は、地面５に対して略垂直な第一蹴上面１０と地面５に対して略平行な第一踏面１２とが交互に連続している。ここに、上昇部及び昇降部を有する階段を併設するには、傾斜角を有する直角三角形状の踏板を第一踏面の一部に敷設することで、傾斜した第一踏面をもつ上昇部と略垂直な第二踏面をもつ昇降部とを区画することができる。
【００２６】
図４に示す上昇部３の例は、個々の踏板２０を第一踏面１２のそれぞれに敷設するものであり、図５に示す上昇部４の例は、シート３１等によって個々の踏板３２が一連となった踏板シート３０を第一踏面１２に敷設するものである。
【産業上の利用可能性】
【００２７】
本発明に係る階段は、上り及び下りを容易にすることができ、また、既存の階段にも適用することができるものとして有用である。
【符号の説明】
【００２８】
１，６  階段
２，２'，３，４，４０  上昇部
５  地面
１１，１２，４１，４３  第１踏面
１０，１０'，４２，４４  第１蹴上面
２０，３２  踏板
３０  踏板シート
３１  シート
５０  昇降部
５１，５３  第２踏面
５２，５４  第２蹴上面
【図１】
2014159739.tif 000003
【図２】
2014159739.tif 000004
【図３】
2014159739.tif 000005
【図４】
2014159739.tif 000006
【図５】
2014159739.tif 000007
【図６】
2014159739.tif 000008
【手続補正書】
【提出日】平成26年6月20日(2014.6.20)
【手続補正１】
【補正対象書類名】明細書
【補正対象項目名】００２０
【補正方法】変更
【補正の内容】
【００２０】
第一蹴上面４２，４４の高さＨ１は、第二蹴上面５２，５４の高さＨ２よりも低く、第一踏面４３は第二蹴上面５２及び第二踏面５３に跨って配設されることから、領域Ｃの部分において、上昇部４０と昇降部５０とに亘る段差が生じている。この段差領域Ｃは、第一踏面４３における足を横方向（昇降部５０方向）に規制するストッパーとしての役割を有し、直進歩行を確実なものとする。また、傾斜角αをつけ、Ｈ２>Ｈ１とすることにより、直進上昇時において上昇部４０を利用した方が少ない段差で足を第一踏面４１，４３に掛けることができる。